(57)【要約】【課題】保持器の動き量を抑えつつ、グリース溜まりの為の空間を十分確保すること。【解決手段】保持器２の周方向に相対するポケット面は、１つ以上の異なる中心を持つ円弧部（曲率半径：Ｒ、中心；０１、０２）と、直線部とによって構成してある。従って、ころ１の動き量をコントロールする曲率半径と、ポケットところ１の間に形成される空間形状をコントロールする曲率半径とを、独立に設定することができる。よって、例えば、保持器２でグリース潤滑する軸受のように、保持器２の動き量を抑え、かつ、グリースが溜まる空間Ｇを確保したい場合に、最適形状の設計をすることができる。【選択図】図１
2007155030.tif 000002
【特許請求の範囲】
【請求項１】
外輪と内輪との間に転動体を転動自在に介装し、当該転動体を所定間隔に維持して案内する保持器を備えた転がり軸受に於いて、
前記保持器は、周方向に相対する一対のポケット面を有し、
少なくとも一方のポケット面は、その形状が２個以上の異なる中心を持つ円弧同士から形成してあることを特徴とする転がり軸受。
【請求項２】
外輪と内輪との間に転動体を転動自在に介装し、当該転動体を所定間隔に維持して案内する保持器を備えた転がり軸受に於いて、
前記保持器は、周方向に相対する一対のポケット面を有し、
少なくとも一方のポケット面は、その形状が１個以上の異なる中心を持つ円弧部と、直線部とから形成してあることを特徴とする転がり軸受。
【発明の詳細な説明】
【技術分野】
【０００１】
本発明は、保持器の動き量を抑えつつ、グリース溜まりの為の空間を十分確保することができる転がり軸受に関する。
【背景技術】
【０００２】
従来のころ案内保持器において、周方向のポケット面は、単一の曲率半径を持つ円弧により形成されており、かつその曲率半径の中心は、ころが保持器のポケットの中立位置にある場合の中心と一致している。
【０００３】
従って、ころ案内保持器の場合、保持器が半径方向に動くと、ころは、保持器のポケットの外径又は内径のエッジ部と接触し、その動き量が規制される。
【０００４】
その為、ころと保持器のポケットとの接触部には、エッジロードが発生する事から、接触部に摩耗が生じる一方、保持器の動き量が増大する。その結果、エッジロードも増大する為、一層保持器ポケットの摩耗が加速される。
【０００５】
特許文献１では、円周方向のポケット面の曲率半径の中心位置を、保持器のポケットの中立位置でのころの中心位置とずらしている為、保持器を半径方向に動かした場合でも、ころと保持器のポケットとの接触位置を円周方向のポケットの曲面内に設定する事ができ、ころと保持器の外径又は内径でのエッジ当たりを回避できる。
【特許文献１】特開２００４−１１６６７号公報
【発明の開示】
【発明が解決しようとする課題】
【０００６】
しかしながら、上記特許文献１では、円周方向のポケット面形状を単一の曲率半径、或いは放物線にて規定している。
【０００７】
その為、潤滑性向上を目的として、ころと保持器のポケットとの接触点近傍に形成されるくさび空間を大きくとろうとした場合には、この曲率半径あるいは放物線により形成される曲率半径を大きくする必要がある。
【０００８】
しかし、同時に、保持器の動き量も増加してしまい、その結果、ころと保持器の衝突力が増大し、摩耗を引き起こす要因となり、好ましくない。
【０００９】
本発明は、上述したような事情に鑑みてなされたものであって、保持器の動き量を抑えつつ、グリース溜まりの為の空間を十分確保することができる、転がり軸受を提供することを目的とする。
【課題を解決するための手段】
【００１０】
上記の目的を達成するため、本発明に係る転がり軸受は、外輪と内輪との間に転動体を転動自在に介装し、当該転動体を所定間隔に維持して案内する保持器を備えた転がり軸受に於いて、
前記保持器は、周方向に相対する一対のポケット面を有し、
少なくとも一方のポケット面は、その形状が２個以上の異なる中心を持つ円弧同士から形成してあることを特徴とする。
【００１１】
また、本発明に係る転がり軸受は、外輪と内輪との間に転動体を転動自在に介装し、当該転動体を所定間隔に維持して案内する保持器を備えた転がり軸受に於いて、
前記保持器は、周方向に相対する一対のポケット面を有し、
少なくとも一方のポケット面は、その形状が１個以上の異なる中心を持つ円弧部と、直線部とから形成してあることを特徴とする。
【発明の効果】
【００１２】
本発明によれば、保持器の動き量を抑えつつ、グリース溜まりの為の空間を十分確保することができる。
【発明を実施するための最良の形態】
【００１３】
以下、本発明の実施の形態に係る転がり軸受を図面を参照しつつ説明する。
【００１４】
（従来の構造）
図５（ａ）は、従来に係る転がり軸受の保持器の模式図である。
【００１５】
ころ１を案内する保持器２の場合、保持器２の動き量は、ころ１と保持器２のポケット面との半径方向距離が最小となる位置で、規制される。
【００１６】
通常のころ１の保持器２では、ころ１の中立位置（ころ直径：Ｄａ）でのころ中心と、保持器２のポケット面の半径Ｒの中心（図中０）とが一致している。
【００１７】
その為、図５（ａ）に示す様に、保持器は、外輪側エッジＰ又は内輪側エッジＱにて、その動きが規制される。
【００１８】
（特許文献１の構造）
図５（ｂ）は、特許文献１に係る転がり軸受の保持器の模式図である。
【００１９】
特許文献１では、ころ１の中立位置でのころ中心と、保持器２のポケットの中心（０１、０２）とをずらして設計している。
【００２０】
その為、外輪側或いは内輪側の保持器２の動き量を、積極的に規制できる（図５（ｂ）に於いて、この例では、周方向のポケット面内のＰで接触する）。
【００２１】
しかしながら、上記特許文献１では、ポケットの形状を単一の曲率半径、或いは放物線にて規定している為、保持器２の動きを規制しない側のポケット面形状を独立に設計する事ができない。  
【００２２】
（本発明の第１実施の形態）
図１（ａ）は、本発明の第１実施の形態に係る転がり軸受の保持器の模式図である。
【００２３】
保持器２の周方向に相対するポケット面は、１つ以上の異なる中心を持つ円弧部（曲率半径：Ｒ、中心；０１、０２）と、直線部とによって構成してある。
【００２４】
保持器２の半径方向動き量を曲率半径Ｒによって規定する事で、ころ１とポケットとの接触位置Ｐを保持器２の外径部Ｓよりも内部に設定でき、かつ、内径側のポケット面の形状は、直線形状に形成してある。
【００２５】
従って、保持器２の動き量を抑えつつ、内径側に、グリース溜まりの為の空間Ｇを十分確保する事が可能となる。
【００２６】
このように、保持器２の周方向に相対するポケット面は、１つ以上の異なる中心を持つ円弧部（曲率半径：Ｒ、中心；０１、０２）と、直線部とによって構成してある。
【００２７】
従って、ころ１の動き量をコントロールする曲率半径と、ポケットところ１の間に形成される空間形状をコントロールする曲率半径とを、独立に設定することができる。
【００２８】
よって、例えば、保持器２でグリース潤滑する軸受のように、保持器２の動き量を抑え、かつ、グリースが溜まる空間Ｇを確保したい場合に、最適形状の設計をすることができる。
【００２９】
図１（ｂ）は、本発明の第１実施の形態の変形例に係る転がり軸受の保持器の模式図である。
【００３０】
本変形例では、保持器２の動き量を内径側の曲率半径Ｒにより規定している。この場合は、同様に、ころ１とポケットとの接触位置Ｐを保持器２の内径部Ｔよりも内部に設定でき、外径側に、グリース溜まり空間Ｇを確保することができる。
【００３１】
（本発明の第２実施の形態）
図２（ａ）は、本発明の第２実施の形態に係る転がり軸受の保持器の模式図である。
【００３２】
保持器２の周方向に相対するポケット面は、その形状が２個以上の異なる中心を持つ円弧（曲率半径：Ｒ１、Ｒ２）同士から形成してある。曲率半径（Ｒ１）は、外径側であり、曲率半径（Ｒ２）は、内径側である。
【００３３】
従って、保持器２の動き量を抑えつつ、内径側に、グリース溜まりの為の空間Ｇを十分確保する事が可能となる。
【００３４】
このように、ころ１の動き量をコントロールする曲率半径と、ポケットところ１の間に形成される空間形状をコントロールする曲率半径とを、独立に設定することができる。
【００３５】
よって、例えば、保持器２でグリース潤滑する軸受のように、保持器２の動き量を抑え、かつ、グリースが溜まる空間Ｇを確保したい場合に、最適形状の設計をすることができる。
【００３６】
図２（ｂ）は、本発明の第２実施の形態の変形例に係る転がり軸受の保持器の模式図である。
【００３７】
本変形例では、保持器２の動き量を内・外径側の曲率半径（Ｒ１、Ｒ２）により規定している。即ち、曲率半径（Ｒ１）は、内径側であり、曲率半径（Ｒ２）は、外径側である。この場合は、外径側に、グリース溜まり空間Ｇを確保することができる。
【００３８】
（本発明の第３実施の形態）
図３（ａ）は、本発明の第３実施の形態に係る転がり軸受の保持器の模式図である。
【００３９】
本実施の形態では、保持器２の周方向に相対するポケット面は、その形状が２個以上の異なる中心を持つ円弧（曲率半径：Ｒ１、Ｒ２）同士から形成してあり、円弧（曲率半径：Ｒ２）は、ころ１の反対側からの円弧により形成してある。
【００４０】
従って、保持器２の動き量を抑えつつ、内径側に、グリース溜まりの為の空間Ｇを十分確保する事が可能となる。
【００４１】
このように、ころ１の動き量をコントロールする曲率半径と、ポケットところ１の間に形成される空間形状をコントロールする曲率半径とを、独立に設定することができる。
【００４２】
よって、例えば、保持器２でグリース潤滑する軸受のように、保持器２の動き量を抑え、かつ、グリースが溜まる空間Ｇを確保したい場合に、最適形状の設計をすることができる。
【００４３】
図３（ｂ）は、本発明の第３実施の形態の変形例に係る転がり軸受の保持器の模式図である。
【００４４】
本変形例では、保持器２の動き量を内径側の曲率半径（Ｒ１、Ｒ２）により規定しており、円弧（曲率半径：Ｒ２）は、ころ１の反対側からの円弧により形成している。この場合は、同様に、外径側に、グリース溜まり空間Ｇを確保することができる。
【００４５】
（本発明の第４実施の形態）
図４は、本発明の第４実施の形態に係る転がり軸受の保持器の模式図である。
【００４６】
本実施の形態では、保持器２の周方向に相対するポケット面は、１つ以上の異なる中心を持つ円弧部（曲率半径：Ｒ）と、直線部とによって構成してあり、一対のポケット面では、円弧部（曲率半径：Ｒ）と、直線部とが互い違いに構成してある。
【００４７】
従って、保持器２の動き量を抑えつつ、内径側及び外径側に、グリース溜まりの為の空間Ｇを十分確保する事が可能となる。
【００４８】
このように、ころ１の動き量をコントロールする曲率半径と、ポケットところ１の間に形成される空間形状をコントロールする曲率半径とを、独立に設定することができる。
【００４９】
よって、例えば、保持器２でグリース潤滑する軸受のように、保持器２の動き量を抑え、かつ、グリースが溜まる空間Ｇを確保したい場合に、最適形状の設計をすることができる。
【００５０】
なお、本発明は、上述した実施の形態に限定されず、種々変形可能である。
【図面の簡単な説明】
【００５１】
【図１】（ａ）は、本発明の第１実施の形態に係る転がり軸受の保持器の模式図である。（ｂ）は、本発明の第１実施の形態の変形例に係る転がり軸受の保持器の模式図である。
【図２】（ａ）は、本発明の第２実施の形態に係る転がり軸受の保持器の模式図である。（ｂ）は、本発明の第２実施の形態の変形例に係る転がり軸受の保持器の模式図である。
【図３】（ａ）は、本発明の第３実施の形態に係る転がり軸受の保持器の模式図である。（ｂ）は、本発明の第３実施の形態の変形例に係る転がり軸受の保持器の模式図である。
【図４】本発明の第４実施の形態に係る転がり軸受の保持器の模式図である。
【図５】（ａ）は、従来に係る転がり軸受の保持器の模式図である。（ｂ）は、特許文献１に係る転がり軸受の保持器の模式図である。
【符号の説明】
【００５２】
１  ころ（転動体）
２  保持器
【図１】
2007155030.tif 000003
【図２】
2007155030.tif 000004
【図３】
2007155030.tif 000005
【図４】
2007155030.tif 000006
【図５】
2007155030.tif 000007